(57)【要約】【課題】  機械操作に不慣れな高齢者でも、パスワードや呼出音量や呼出音選択などの基本設定を、かんたんに行えるようにする。【解決手段】  各種設定を行うための操作部６ａ〜６ｅ、７および表示部５を有するものにおいて、表示部５に表示されているメニューの中からかんたん基本設定が選択されると、設定手順をガイダンス可能な設定可能項目を表示部５に表示する第１の制御部８ａと、第１の制御部８ａによって表示された設定可能項目の選択に基づいて対応するガイダンスの表示データを判別し、表示部５に表示する第２の制御部８ｂと、を設ける。【選択図】        図１
2005258646.tif 000002
【特許請求の範囲】
【請求項１】
各種設定を行うための操作部および表示部を有する住宅情報盤において、
前記表示部に表示されているメニューの中から基本設定が選択されると、
設定手順をガイダンス可能な設定可能項目を前記表示部に表示する第１の制御部と、
前記第１の制御部によって表示された設定可能項目の選択に基づいて対応するガイダンスの表示データを判別し、前記表示部に表示する第２の制御部と、
を備えることを特徴とする住宅情報盤。
【請求項２】
前記設定可能項目は、パスワード登録と変更、パスワード消去、呼出音量、呼出音選択のいずれかであることを特徴とする請求項１記載の住宅情報盤。
【請求項３】
前記パスワードを、２グループ以上の身近な単語の組み合わせで設定可能としたことを特徴とする請求項２記載の住宅情報盤。
【発明の詳細な説明】
【技術分野】
【０００１】
本発明は、パスワード登録と変更、パスワード消去、呼出音量、および呼出音選択の設定をガイダンスによりかんたんに行うことのできる住宅情報盤に関するものである。
【背景技術】
【０００２】
マンションなどの集合住宅では、管理人室や防災監視室などに監視盤を設置する一方、各住戸に住宅情報盤を設置して、各住戸と管理人室、各住戸と監視盤に接続された集合玄関機の間でのインターホン通話を可能としている。また、各住戸の住宅情報盤に接続された防犯スイッチ、火災感知器、ガス漏れ検知器などの各種セキュリティ機器が作動した場合には、そのことを音声や表示灯などで住戸人に知らせるとともに、信号線を通じて、監視盤に通知するようになっている。監視盤は、例えば、住戸において防犯スイッチが作動し、住宅情報盤から作動信号を受信すると、そのことを音声や表示灯などで、管理員や警備員などに知らせるようになっている。
【０００３】
ところで、住宅情報盤には数字の組合せでなる暗証番号を設定できるものがある（例えば特許文献１）。このようなものにおいて、暗証番号を設定した場合、窓などに取り付けられた防犯スイッチによる警戒の設定は、防犯ボタン操作だけで行うことができるが、防犯スイッチによる防犯警戒を解除するときには、解除ボタンを操作した後、所定時間内に暗証番号を入力する必要がある。つまり、所定時間内に入力された暗証番号が、登録された暗証番号と一致したときには、防犯スイッチによる警戒状態が解除される。しかし、入力された暗証番号が、登録された暗証番号と一致しないときは、所定時間経過後、警報が出力される。
【０００４】
このように、暗証番号設定可能な住宅情報盤にあっては、暗証番号を設定することにより、暗証番号を知っている特定の住戸人でなければ警戒を解除することができなくなるので、不法な侵入者などによって勝手に警戒が解除されるようなことはなくなり、防犯警戒の信頼性が向上する。
【０００５】
【特許文献１】特開２０００−２１５３６８号公報
【発明の開示】
【発明が解決しようとする課題】
【０００６】
しかしながら、このように暗証番号設定可能な住宅情報盤にあっても、暗証番号を設定しなければ防犯警戒機能は有効に働かず、不法な侵入者などによって、かんたんに警戒が解除されてしまう。
【０００７】
すなわち、住宅情報盤において、防犯警戒機能は一部の機能でしかなく、既述したようにそれ以外にもインターホン機能や防災監視機能など各種の重要な機能を持っている。そして、これらインターホン機能や防災監視機能は、暗証番号の設定の必要のない機能である。したがって、住宅情報盤は、基本的に暗証番号を設定しなくても使用できる設計となっている。
【０００８】
また、従来の住宅情報盤は、暗証番号の設定だけでなく、呼出音量の設定や呼出音選択などの基本設定をする場合においても、説明書の内容を理解した上で機械を操作しなくてはならない。
【０００９】
このため、例えば機械操作に不慣れな高齢者宅などにおいては、暗証番号を設定せず、かつ呼出音量や呼出音も初期設定（出荷時に設定されている）のままで使用されているのが実情である。
【００１０】
本発明の技術的課題は、機械操作に不慣れな高齢者でも、暗証番号すなわちパスワードや呼出音量や呼出音選択などの基本設定を、かんたんに行えるようにすることにある。
【課題を解決するための手段】
【００１１】
本発明に係る住宅情報盤は、下記の構成からなるものである。すなわち、各種設定を行うための操作部および表示部を有する住宅情報盤において、表示部に表示されているメニューの中から基本設定が選択されると、設定手順をガイダンス可能な設定可能項目を表示部に表示する第１の制御部と、第１の制御部によって表示された設定可能項目の選択に基づいて対応するガイダンスの表示データを判別し、表示部に表示する第２の制御部と、を備えるものである。
【００１２】
また、本発明に係る住宅情報盤は、前記設定可能項目が、パスワード登録と変更、パスワード消去、呼出音量、呼出音選択のいずれかからなるものである。
【００１３】
また、本発明に係る住宅情報盤は、パスワードを、２グループ以上の身近な単語の組み合わせで設定可能としたものである。
【発明の効果】
【００１４】
本発明に係る住宅情報盤においては、パスワード登録と変更、パスワード消去、呼出音量、および呼出音選択などの設定可能項目の基本設定を、ガイダンスに従って対話形式で行うことができるので、例えば機械操作に不慣れな高齢者でも、暗証番号や呼出音量や呼出音選択などの基本設定を、かんたんに行うことができ、使い勝手が向上する。
特に機器本体内のディップスイッチなどを操作せずに基本設定を盤面から工具なしで行えるので、設定作業が容易である。
【００１５】
また、本発明に係る住宅情報盤においては、パスワードを、予め登録されている少なくとも２グループの身近な単語の組合せで設定可能としたので、高齢者でも覚えやすく、かつ忘れにくいパスワードとすることができる。
【発明を実施するための最良の形態】
【００１６】
図１は本発明の一実施形態に係る住宅情報盤を概略的に示す正面図、図２はその基本設定に関する制御ブロック図、図３乃至図１５はいずれもそのかんたん基本設定時のガイダンスの画面表示遷移図である。
【００１７】
図１及び図２において、１０は住宅情報盤で、その本体内には、マイク１とスピーカ２が設けられ、これらが通話ライン（図示せず）を介してドアホン、集合玄関機、管理人室と接続されている。住宅情報盤１０の本体前面の中央部には、ＣＲＴ又はＬＣＤで構成された表示部５が設置され、表示部５の周辺に操作部としての複数（ここでは５つ）の指示入力用釦６ａ，６ｂ，６ｃ，６ｄ，６ｅと指示入力用釦機能を持つメニュー釦７が配置され、本体内に設けられた制御手段としての制御部８により指示入力用釦６ａ，６ｂ，６ｃ，６ｄ，６ｅ及びメニュー釦７が各種機能の指示釦として割り当てられるようになっており、割り当てられた指示入力用釦はその位置と機能が分かるように表示部５上の当該釦近傍にその機能が表示されるようになっている。また、本体前面の表示部５よりも上方の位置には、ＬＥＤからなる電源ランプ９、警戒中ランプ１１、及びお知らせランプ１２と、火災発生警報が発せられたとき、これを確認したことを管理室などに知らせるための火災確認釦１３と、警報音停止復旧釦１４と、住戸内で非常事態などが発生した場合、これを管理室などに知らせる、あるいは復旧したことを知らせるための非常／復旧釦１５と、前記マイク１が配置されている。また、本体の表示部５よりも下方の位置には、前記スピーカ２が配置され、更にその下方に通話釦１６が配置され、通話釦１６の右に集合玄関の扉を解錠するための解錠釦１７が配置されている。
【００１８】
制御部８は、第１の制御部８ａと第２の制御部８ｂを有している。第１の制御部８ａは、表示部５に表示された設定項目画面である設定メニューの中から「かんたん基本設定」が選択されると、設定手順をガイダンス可能な設定可能項目、例えば「パスワード登録と変更」、「パスワード消去」、「呼出音量」、および「呼出音選択」を表示部５に表示するための制御を行う。第２の制御部８ｂは、第１の制御部８ａによって表示されたガイダンス可能な設定可能項目の選択に基づいてメモリ１８内の対応するガイダンスの表示データを判別し、表示部５に対話形式で表示する制御を行う。その際、パスワードに関しては、予めメモリ１８内に登録されている少なくとも２グループの身近な単語の組合せ、ここでは家族名（代名詞や敬称）とえと（干支）の組合せで設定可能とするものである。なお、この身近な単語とは、操作者（使用者）にとって身近な単語であり、干支など以外に星座や好きな食べ物などでもよく、その組み合せは、２グループに限定されず、１つ又は３グループ以上でもよい。
【００１９】
次に、本実施形態の住宅情報盤の「かんたん基本設定」の動作について図３乃至図１５に基づき図１及び図２を参照しながら説明する。各種設定を行う場合、住戸人の操作は全て表示部５周辺の指示入力用釦６ａ，６ｂ，６ｃ，６ｄ，６ｅ及び指示入力用釦機能を持つメニュー釦７を、表示部５に表示されるガイダンスに従って対話形式で選択的に押すことにより行われる。通常、表示部５はメニュー表示ＯＦＦの状態にある（ステップ１）。このとき、メニュー釦７が押されると、メニューが表示される（ステップ２）。なお、これ以降は、各釦６ａ，６ｂ，６ｃ，６ｄ，６ｅ，７に割り当てられる機能が、同一釦であっても画面が切り替わるたびに変化するため、符号を含む釦表記は止め、各釦の位置を太線で示し、各釦に割り当てられた機能を「  」で示し、その機能を選択するために割り当てられた釦を押すことを「  」を選択と表現する。
【００２０】
メニュー画面上には、在宅時に防犯警戒をセットするための「防犯在宅」と、外出時に防犯警戒をセットするための「防犯外出」と、パスワードなど各種の設定を行うための「設定」と、管理室を呼び出すための「呼出」と、が表示されている。防犯在宅機能と防犯外出機能の違いは、パスワードが登録されている場合において、防犯警戒解除する際に、防犯在宅の場合は解除釦操作のみで済むのに対し、防犯外出の場合は、解除釦操作後にパスワードの入力を求められる点にある。
【００２１】
メニュー画面上の項目の中の「設定」を選択すると、次画面では各種設定をガイダンスに従って設定できる本発明に係る「かんたん基本設定」と、説明書の内容を理解した上で機械を操作して各種設定を行う「詳細設定」と、警報音等を試聴体験できる「警報体験」と、ドアホンや集合玄関機に設置されているカメラで撮った録画映像を再生するための「録画再生」と、前画面（ステップ２の画面）に戻すための「戻る」と、が表示される（ステップ３）。
【００２２】
そして、設定可能項目を選択し、設定するための画面である設定項目画面（ステップ３の画面）上の「かんたん基本設定」を選択すると、次画面では設定手順をガイダンス可能な設定可能項目である「パスワード登録と変更」、「パスワード消去」、「呼出音量」、および「呼出音選択」と、前画面（ステップ３の画面）に戻すための「戻る」と、が表示され（ステップ４）、「パスワード登録と変更」を選択すると、パスワード登録または変更を対話形式で行なわせるためのガイダンスの画面が順次表示される（ステップ５）。また、「パスワード消去」を選択すると、パスワード消去を対話形式で行なわせるためのガイダンスの画面が順次表示される（ステップ６）。また、「呼出音量」を選択すると、呼出音量設定を対話形式で行なわせるためのガイダンスの画面が順次表示される（ステップ７）。また、「呼出音選択」を選択すると、呼出音の選択を対話形式で行なわせるためのガイダンスの画面が順次表示される（ステップ８）。
【００２３】
これを更に詳述すると、ステップ５のパスワードの登録または変更の設定のためのガイダンスは、図４乃至図７に示すように順次表示される。まず、ステップ４にて「パスワード登録と変更」を選択すると、次画面では「登録パスワードを選択します」という案内文とともに「登録１」「登録２」「登録３」「登録４」と、前画面（ステップ４の画面）に戻すための「戻る」と、が表示される（ステップ５１１）。ここで、既に登録済み項目があれば表示文字を反転する。ここでは「登録１」と「登録２」が反転され、これら項目が登録済みであることを表している。なお、このようにパスワードは複数、ここでは４つ設定可能である。このため家族のひとりひとりが自分のパスワードを設定できるので、パスワードを忘れたりすることを防止できる。
【００２４】
ステップ５１１にて未登録項目、つまり「登録３」又は「登録４」を選択すると、次画面では「防犯解除のパスワードは家族名  と  えと  のくみあわせで決まります  まず家族名を設定します」という案内文とともに次画面に進むための「次へ」と、前画面（ステップ５１１の画面）に戻すための「戻る」と、が表示される（ステップ５１２）。
【００２５】
ステップ５１２にて「次へ」を選択すると、次画面（図５）では家族名（代名詞や敬称）である「１おじいさん」「２おばあさん」「３おとうさん」「４おかあさん」と、次の家族名を表示させるための「次の家族名へ」と、パスワードの登録を止めてステップ４の画面に戻すための「取消」と、が表示される（ステップ５１３）。
【００２６】
ステップ５１３にて登録したい家族名が無く、「次の家族名へ」を選択すると、次画面では「５おにいさん」「６おねえさん」「７ぼく」「８わたし」と、前の家族名の画面（ステップ５１３の画面）に戻すための「前の家族名へ」と、が表示される（ステップ５１４）。
【００２７】
ステップ５１３またはステップ５１４にて家族名を選択すると、次画面では選択された家族名の確認とともに次へ進むための案内、すなわち「家族名は○○○○○です  次にえとを設定します」という案内文とともに、次画面に進むための「次へ」と、家族名の最初の画面（ステップ５１３の画面）に戻すための「戻る」と、が表示される（ステップ５１５）。
【００２８】
ステップ５１５にて「次へ」を選択すると、次画面（図６）ではえとである「１ねずみ」「２うし」「３とら」「４うさぎ」と、次のえとを表示させるための「次のえとへ」と、えとの登録を止めて家族名の最初の画面（ステップ５１３の画面）に戻すための「取消」と、が表示される（ステップ５１６）。
【００２９】
ステップ５１６にて登録したいえとが無く、「次のえとへ」を選択すると、次画面では「５たつ」「６へび」「７うま」「８ひつじ」と、次のえとを表示させるための「次のえとへ」と、前のえとの画面（ステップ５１６の画面）に戻すための「前のえとへ」と、が表示される（ステップ５１７）。
【００３０】
また、ステップ５１７においても登録したいえとが無く、「次のえとへ」を選択すると、次画面では「９さる」「１０とり」「１１いぬ」「１２いのしし」と、前のえとの画面（ステップ５１７の画面）に戻すための「前のえとへ」と、が表示される（ステップ５１８）。
【００３１】
ステップ５１６、ステップ５１７、またはステップ５１８にてえとを選択すると、次画面では選択されたえとを含むパスワードの確認、つまり「防犯解除のパスワードは○○○○○  △△△△△」（○○○○○はステップ５１３，５１４で選択した家族名、△△△△△はステップ５１６〜５１８で選択したえとである）の確認とともに、次のパスワードの登録へ進むための「次のパスワードを登録」と、終了してステップ４の画面に戻すための「終了」と、が表示される（ステップ５１９）。
【００３２】
また、ステップ５１１（図４）にて登録済み項目、つまり「登録１」又は「登録２」を選択すると、次画面では「パスワードを変更します  登録した家族名  を選択してください」という案内文とともに次画面に進むための「次へ」と、前画面（ステップ５１１の画面）に戻すための「戻る」と、が表示される（ステップ５２０）。
【００３３】
ステップ５２０にて「次へ」を選択すると、次画面（図５）では家族名である「１おじいさん」「２おばあさん」「３おとうさん」「４おかあさん」と、次の家族名を表示させるための「次の家族名へ」と、パスワードの変更を止めてステップ４の画面に戻すための「取消」と、が表示される（ステップ５２１）。
【００３４】
ステップ５２１にて変更したい家族名が無く、「次の家族名へ」を選択すると、次画面では「５おにいさん」「６おねえさん」「７ぼく」「８わたし」と、前の家族名の画面（ステップ５２１の画面）に戻すための「前の家族名へ」と、が表示される（ステップ５２２）。
【００３５】
ステップ５２１またはステップ５２２にて家族名を選択すると、次画面では変更する家族名の確認とともに次へ進むための案内、すなわち「家族名は○○○○○です  次にえとを選択してください」という案内文とともに、次画面に進むための「次へ」と、変更する家族名の最初の画面（ステップ５２１の画面）に戻すための「戻る」と、が表示される（ステップ５２３）。
【００３６】
ステップ５２３にて「次へ」を選択すると、次画面（図７）ではえとである「１ねずみ」「２うし」「３とら」「４うさぎ」と、次のえとを表示させるための「次のえとへ」と、えとの選択を止めて家族名の最初の画面（ステップ５２１の画面）に戻すための「取消」と、が表示される（ステップ５２４）。
【００３７】
ステップ５２４にて変更したいえとが無く、「次のえとへ」を選択すると、次画面では「５たつ」「６へび」「７うま」「８ひつじ」と、次のえとを表示させるための「次のえとへ」と、前のえとの画面（ステップ５２４の画面）に戻すための「前のえとへ」と、が表示される（ステップ５２５）。
【００３８】
また、ステップ５２５においても変更したいえとが無く、「次のえとへ」を選択すると、次画面では「９さる」「１０とり」「１１いぬ」「１２いのしし」と、前のえとの画面（ステップ５２５の画面）に戻すための「前のえとへ」と、が表示される（ステップ５２６）。
【００３９】
ステップ５２４、ステップ５２５、またはステップ５２６にていずれかのえとを選択すると、次画面では「変更するパスワードを登録します」の確認をする。即ちステップ５１１で登録済み項目であり、表示文字が反転していた状態を解除し、新たなパスワードに変更できる状態にするとともに、新たにパスワードを登録しなおすためにステップ５１２の画面へ進むための「次へ」と、変更するパスワードを他の登録済み項目に変更するためにステップ５１１の画面に戻すための「取消」と、が表示される（ステップ５２７）。
【００４０】
また、ステップ５２４、ステップ５２５、またはステップ５２６にて選択したえとと先に選択した家族名とのくみあわせが登録済みのパスワード項目と一致しない場合は、「パスワードがちがいます」の通知とともに、再入力をうながすための「再入力」が表示される（ステップ５２８）。ここで「再入力」の選択がなければ、約２秒後に自動的にステップ５２１に戻る。
【００４１】
ステップ６のパスワード消去の設定のためのガイダンスは、図８乃至図１０に示すように順次表示される。まず、ステップ４（図３）にて「パスワード消去」を選択すると、次画面（図８）では「登録パスワードの消去を行います  登録したパスワードを選択してください」という案内文とともに次画面に進むための「次へ」と、前画面（ステップ４の画面）に戻すための「戻る」と、が表示される（ステップ６１１）。
【００４２】
ステップ６１１にて「次へ」を選択すると、次画面では家族名である「１おじいさん」「２おばあさん」「３おとうさん」「４おかあさん」と、次の家族名を表示させるための「次の家族名へ」と、パスワードの消去を止めてステップ４の画面に戻すための「取消」と、が表示される（ステップ６１２）。
【００４３】
ステップ６１２にて消去したい家族名が無く、「次の家族名へ」を選択すると、次画面では「５おにいさん」「６おねえさん」「７ぼく」「８わたし」と、前の家族名の画面（ステップ６１２の画面）に戻すための「前の家族名へ」と、が表示される（ステップ６１３）。
【００４４】
ステップ６１２またはステップ６１３にて家族名を選択すると、次画面では消去する家族名の確認とともに次へ進むための案内、すなわち「家族名は○○○○○です  次にえとを選択してください」という案内文とともに、次画面に進むための「次へ」と、消去する家族名の最初の画面（ステップ６１２の画面）に戻すための「戻る」と、が表示される（ステップ６１４）。
【００４５】
ステップ６１４にて「次へ」を選択すると、次画面（図９）ではえとである「１ねずみ」「２うし」「３とら」「４うさぎ」と、次のえとを表示させるための「次のえとへ」と、えとの選択を止めて家族名の最初の画面（ステップ６１２の画面）に戻すための「取消」と、が表示される（ステップ６１５）。
【００４６】
ステップ６１５にて消去したいえとが無く、「次のえとへ」を選択すると、次画面では「５たつ」「６へび」「７うま」「８ひつじ」と、次のえとを表示させるための「次のえとへ」と、前のえとの画面（ステップ６１５の画面）に戻すための「前のえとへ」と、が表示される（ステップ６１６）。
【００４７】
また、ステップ６１６においても消去したいえとが無く、「次のえとへ」を選択すると、次画面では「９さる」「１０とり」「１１いぬ」「１２いのしし」と、前のえとの画面（ステップ６１６の画面）に戻すための「前のえとへ」と、が表示される（ステップ６１７）。
【００４８】
ステップ６１５、ステップ６１６、またはステップ６１７にてえとを選択すると、次画面では「登録○のパスワードを消去しますか？」（○は１〜４の数字がはいる）の確認とともに、消去を実行するための「消去実行」と、パスワードの消去を取り消してステップ４の画面（図３）に戻すための「取消」と、が表示される（ステップ６１８）。なお、このステップ６１８において、「パスワード消去」の手順で入力された人物名とえとが、既に登録された登録１〜４のパスワードの設定と一致しているかを判別して一致している場合にステップ６１８の画面が表示される。
【００４９】
ステップ６１８にて「消去実行」を選択すると、次画面（図１０）では「登録○のパスワードを消去しました」の確認とともに、終了してステップ４の画面に戻すための「戻る」が表示される（ステップ６１９）。
【００５０】
また、ステップ６１５、ステップ６１６、またはステップ６１７にて選択したえとと先に選択した家族名とのくみあわせが登録済み項目と一致しない場合は、「パスワードがちがいます」の通知とともに、再入力をうながすための「再入力」が表示される（ステップ６２０）。ここで「再入力」の選択がなければ、約２秒後に自動的にステップ６１２に戻る。
【００５１】
また、ステップ４（図３）にて「パスワード消去」を選択しても、パスワードが登録されていなければ、次画面（図８）にて「パスワードが登録されていません」の通知とともに、ステップ４の画面に戻すための「戻る」が表示される（ステップ６２１）。
【００５２】
ステップ７の呼出音量設定のためのガイダンスは、図１１に示すように順次表示される。まず、ステップ４（図３）にて「呼出音量」を選択すると、次画面では「呼出音量の設定を行います  大＞中＞小＞微小の４つがあります」という案内文とともに次画面に進むための「次へ」と、前画面（ステップ４の画面）に戻すための「戻る」と、が表示される（ステップ７１１）。
【００５３】
ステップ７１１にて「次へ」を選択すると、次画面では「大」「中」「小」「微小」と、前画面（ステップ７１１の画面）に戻すための「戻る」と、が表示される（ステップ７１２）。ここで、既に設定済み項目があれば表示文字を反転する。ここでは「中」が反転されており、出荷時には呼出音量が予め「中」に設定されていることを表している。
【００５４】
ステップ７１２にて設定項目を選択すると、次画面では選択された音量でよいかの確認、つまり「呼出音量  □」（□には、「大」「中」「小」「微小」のいずれかが表示される）の確認とともに、選択された呼出音量がどの程度のものかを画面は変化させずに実際に鳴動させて確認するための「試聴」と、選択した呼出音量を設定してステップ４の画面（図３）に戻すための「決定」と、前画面（ステップ７１２の画面）に戻すための「戻る」と、が表示される（ステップ７１３）。
【００５５】
ステップ８の呼出音選択のためのガイダンスは、図１２乃至図１５に示すように順次表示される。まず、ステップ４（図３）にて「呼出音選択」を選択すると、次画面（図１２）では「住戸玄関  集合玄関  管理室  からの呼出音を設定します」という案内文とともに次画面に進むための「次へ」と、前画面（ステップ４の画面）に戻すための「戻る」と、が表示される（ステップ８１１）。
【００５６】
ステップ８１１にて「次へ」を選択すると、次画面ではどこからの呼出であるかを特定するための「住戸玄関から呼出」「集合玄関から呼出」「管理室から呼出」と、前画面（テップ８１１の画面）に戻すための「戻る」と、が表示され（ステップ８１２）、「住戸玄関から呼出」を選択すると、住戸玄関からの呼出に対応させて呼出音（例えばメロディ）を対話形式で設定するためのガイダンスの画面が順次表示される（ステップ８２０）。また、「集合玄関から呼出」を選択すると、集合玄関からの呼出に対応させて呼出音（例えばメロディ）を対話形式で設定するためのガイダンスの画面が順次表示される（ステップ８３０）。また、「管理室から呼出」を選択すると、管理室からの呼出に対応させて呼出音（例えばメロディ）を対話形式で設定するためのガイダンスの画面が順次表示される（ステップ８４０）。
【００５７】
これを更に詳述すると、ステップ８２０の住戸玄関からの呼出に対応させた呼出音（メロディ）の設定のためのガイダンスは、図１３に示すように順次表示される。まず、ステップ８１２（図１２）にて「住戸玄関から呼出」を選択すると、次画面（図１３）では「呼出音Ａ」「呼出音Ｂ」「呼出音Ｃ」「呼出音Ｄ」と、前画面（ステップ８１２の画面）に戻すための「戻る」と、が表示される（ステップ８２１）。ここで、既に設定済み項目があれば表示文字を反転する。ここでは「呼出音Ａ」が反転されており、出荷時には住戸玄関からの呼出音（メロディ）が予め「呼出音Ａ」に設定されていることを表している。
【００５８】
ステップ８２１にて設定項目を選択すると、次画面ではどこからの呼出で、選択メロディはなんであるのかの確認、つまり「住戸玄関から呼出  呼出音  □」（□には「Ａ」〜「Ｄ」のいずれかが表示される）の確認とともに、選択された呼出音（メロディ）を画面は変化させずに実際に鳴動させて確認するための「試聴」と、選択した呼出音（メロディ）を設定してステップ４の画面（図３）に戻すための「決定」と、前画面（ステップ８２１の画面）に戻すための「戻る」と、が表示される（ステップ８２２）。
【００５９】
ステップ８３０の集合玄関からの呼出に対応させた呼出音（メロディ）の設定のためのガイダンスは、図１４に示すように順次表示される。まず、ステップ８１２（図１２）にて「集合玄関から呼出」を選択すると、次画面（図１４）では「呼出音Ａ」「呼出音Ｂ」「呼出音Ｃ」「呼出音Ｄ」と、前画面（ステップ８１２の画面）に戻すための「戻る」と、が表示される（ステップ８３１）。ここでも、既に設定済み項目があれば表示文字を反転する。ここでも「呼出音Ａ」が反転されており、出荷時に集合玄関からの呼出音（メロディ）が予め「呼出音Ａ」に設定されていることを表している。
【００６０】
ステップ８３１にて設定項目を選択すると、次画面ではどこからの呼出で、選択メロディはなんであるのかの確認、つまり「集合玄関から呼出  呼出音  □」（□には「Ａ」〜「Ｄ」のいずれかが表示される）の確認とともに、選択された呼出音（メロディ）を画面は変化させずに実際に鳴動させて確認するための「試聴」と、選択した呼出音（メロディ）を設定してステップ４の画面（図３）に戻すための「決定」と、前画面（ステップ８３１の画面）に戻すための「戻る」と、が表示される（ステップ８３２）。
【００６１】
ステップ８４０の管理室からの呼出に対応させた呼出音（メロディ）の設定のためのガイダンスは、図１５に示すように順次表示される。まず、ステップ８１２（図１２）にて「管理室から呼出」を選択すると、次画面（図１５）では「呼出音Ａ」「呼出音Ｂ」「呼出音Ｃ」「呼出音Ｄ」と、前画面（ステップ８１２の画面）に戻すための「戻る」と、が表示される（ステップ８４１）。ここでも、既に設定済み項目があれば表示文字を反転する。ここでも「呼出音Ａ」が反転されており、出荷時に管理室からの呼出音（メロディ）が予め「呼出音Ａ」に設定されていることを表している。
【００６２】
ステップ８４１にて設定項目を選択すると、次画面ではどこからの呼出で、選択メロディはなんであるのかの確認、つまり「管理室から呼出  呼出音  □」（□には「Ａ」〜「Ｄ」のいずれかが表示される）の確認とともに、選択された呼出音（メロディ）を画面は変化させずに実際に鳴動させて確認するための「試聴」と、選択した呼出音（メロディ）を設定してステップ４の画面（図３）に戻すための「決定」と、前画面（ステップ８３１の画面）に戻すための「戻る」と、が表示される（ステップ８３２）。
【００６３】
以上のように、本実施形態の住宅情報盤は、パスワード登録と変更、パスワード消去、呼出音量、および呼出音選択等の基本設定を、表示部５に表示された案内に従って住戸人が表示部周辺に配置されている指示入力用釦６ａ，６ｂ，６ｃ，６ｄ，６ｅ及びメニュー釦７より対話形式で選択的に入力するだけで自動的に行えるようにしたので、例えば機械操作に不慣れな高齢者でも、パスワード登録と変更、パスワード消去、呼出音量、および呼出音選択などの基本設定を、かんたんに行うことができ、使い勝手が向上する。
【００６４】
また、パスワードを、予め登録されている例えば家族名とえとのように少なくとも２グループの身近な単語の組合せで設定可能としたので、高齢者でも覚えやすく、かつ忘れにくいパスワードとすることができる。
また、パスワードは複数、例えば４つ設定できるようにしてあるので、家族のひとりひとりが自分のパスワードを設定できるので、パスワードを忘れにくい。
【００６５】
なお、本実施の形態においては、モニタにメニューを表示し、そのメニューに対応した指示入力用ボタンを操作して、メニューを実行する、いわゆるオンスクリーン機能のある住宅情報盤により説明したが、表示部上のメニュー項目をタッチすることで、その項目が実行されるタッチパネル形式の画面を有する住宅情報盤に本発明を適用してもよく、この場合には、操作部と表示部が一緒となる。
【００６６】
また、本実の施形態では、設定可能項目として、パスワード登録と変更、パスワード消去、呼出音量、呼出音選択をあげたが、これら全てを設定する必要はなく、このうち一つだけを設定してもよい。
【図面の簡単な説明】
【００６７】
【図１】本発明の一実施形態に係る住宅情報盤を概略的に示す正面図である。
【図２】本実施形態に係る住宅情報盤の基本設定に関する制御ブロック図である。
【図３】本実施形態に係る住宅情報盤のかんたん基本設定時のガイダンスの画面表示遷移図である。
【図４】本実施形態に係る住宅情報盤のかんたん基本設定時のガイダンスの画面表示遷移図である。
【図５】本実施形態に係る住宅情報盤のかんたん基本設定時のガイダンスの画面表示遷移図である。
【図６】本実施形態に係る住宅情報盤のかんたん基本設定時のガイダンスの画面表示遷移図である。
【図７】本実施形態に係る住宅情報盤のかんたん基本設定時のガイダンスの画面表示遷移図である。
【図８】本実施形態に係る住宅情報盤のかんたん基本設定時のガイダンスの画面表示遷移図である。
【図９】本実施形態に係る住宅情報盤のかんたん基本設定時のガイダンスの画面表示遷移図である。
【図１０】本実施形態に係る住宅情報盤のかんたん基本設定時のガイダンスの画面表示遷移図である。
【図１１】本実施形態に係る住宅情報盤のかんたん基本設定時のガイダンスの画面表示遷移図である。
【図１２】本実施形態に係る住宅情報盤のかんたん基本設定時のガイダンスの画面表示遷移図である。
【図１３】本実施形態に係る住宅情報盤のかんたん基本設定時のガイダンスの画面表示遷移図である。
【図１４】本実施形態に係る住宅情報盤のかんたん基本設定時のガイダンスの画面表示遷移図である。
【図１５】本実施形態に係る住宅情報盤のかんたん基本設定時のガイダンスの画面表示遷移図である。
【符号の説明】
【００６８】
５  表示部
６ａ〜６ｅ  指示入力用釦（操作部）
７  メニュー釦（操作部）
８ａ  第１の制御部
８ｂ  第２の制御部
１０  住宅情報盤
【図１】
2005258646.tif 000003
【図２】
2005258646.tif 000004
【図３】
2005258646.tif 000005
【図４】
2005258646.tif 000006
【図５】
2005258646.tif 000007
【図６】
2005258646.tif 000008
【図７】
2005258646.tif 000009
【図８】
2005258646.tif 000010
【図９】
2005258646.tif 000011
【図１０】
2005258646.tif 000012
【図１１】
2005258646.tif 000013
【図１２】
2005258646.tif 000014
【図１３】
2005258646.tif 000015
【図１４】
2005258646.tif 000016
【図１５】
2005258646.tif 000017